(57)【要約】【課題】  露光用ヘッドの長寿命化を図ることができるとともに、低消費電力化を図ることができる露光用ヘッド及び露光用ヘッドの駆動方法を提供する。【解決手段】  露光ヘッドＨは、ライン状に光を構成する各露光スポットに光をそれぞれ出射する有機ＥＬ素子３３を有する第１露光用発光部Ｈａ１と、同じくライン状に光を構成する各露光スポットに光をそれぞれ出射する有機ＥＬ素子３３を有する第２露光用発光部Ｈａ２を備えた。第２露光用発光部Ｈａ２の有機ＥＬ素子３３を構成する発光層の膜厚を、第１露光用発光部Ｈａ１の有機ＥＬ素子３３を構成する発光層の膜厚より厚く形成した。そして、各露光スポットにおいて、低輝度発光で露光する場合には第１露光用発光部Ｈａ１の有機ＥＬ素子３３を発光させ、高輝度発光で露光する場合には第２露光用発光部Ｈａ２の有機ＥＬ素子３３を発光させるようにした。【選択図】      図３
2006263934.tif 000002
【特許請求の範囲】
【請求項１】
露光用のライン状の光を出射する露光用ヘッドであって、
前記ライン状の光の各部分を形成する露光用の光を出射する発光素子を複数個形成した発光部を複数設け、前記各発光部の発光素子を他の発光部の発光素子と異なる形成条件で形成したことを特徴とする露光用ヘッド。
【請求項２】
露光用のライン状の光を出射する露光用ヘッドであって、
前記ライン状の光の各部分を形成する露光用の光を出射する第１発光素子を複数個設けた第１発光部と、
前記ライン状の光の各部分を形成する露光用の光を出射する、前記第１発光素子と形成条件の異なる第２発光素子を複数個設けた第２発光部と
を備えたことを特徴とする露光用ヘッド。
【請求項３】
請求項２に記載の露光用ヘッドにおいて、
前記第１発光部の第１発光素子は、低輝度の光を出射するに適した有機エレクトロルミネッセンス素子であり、
前記第２発光部の第２発光素子は、高輝度の光を出射するに適した有機エレクトロルミネッセンス素子であることを特徴とする露光用ヘッド。
【請求項４】
請求項３に記載の露光用ヘッドにおいて、
前記第２発光素子である有機エレクトロルミネッセンス素子の発光層の膜厚は、前記第１発光素子である有機エレクトロルミネッセンス素子の発光層の膜厚よりも厚くしたことを特徴とする露光用ヘッド。
【請求項５】
請求項３又は４に記載の露光用ヘッドにおいて、
前記第２発光素子である有機エレクトロルミネッセンス素子が出射する光の波長は、前記第１発光素子である有機エレクトロルミネッセンス素子が出射する光の波長よりも長くしたことを特徴とする露光用ヘッド。
【請求項６】
請求項２〜５のいずれか１つに記載の露光用ヘッドにおいて、
前記各発光部は、１つのフレキシブル基板に形成したことを特徴とする露光用ヘッド。
【請求項７】
露光用のライン状の光を出射するための前記ライン状の光の各部分を形成する露光用の光を出射する第１発光素子を複数個設けた第１発光部と、
前露光用のライン状の光を出射するための前記ライン状の光の各部分を形成する露光用の光を出射する、前記第１発光素子と形成条件の異なる第２発光素子を複数個設けた第２発光部とを備え、
前記第１発光部と第２発光部の各発光素子の各々について、前記各部分の露光用の光を形成する第１及び第２発光素子同士をそれぞれ組とし、露光データに基づいて前記露光用のライン状の光を出射する際、前記各部分の露光データに応じてそれぞれ各組毎にその組の第１及び第２発光素子の中から、前記露光データに応じた発光素子を選択して発光させるようにしたことを特徴とする露光用ヘッドの駆動方法。
【請求項８】
請求項７に記載の露光用ヘッドの駆動方法において、
前記第１発光部の第１発光素子は、低輝度の光を出射するに適した有機エレクトロルミネッセンス素子であり、
前記第２発光部の第２発光素子は、高輝度の光を出射するに適した有機エレクトロルミネッセンス素子であり、
前記露光データが高輝度のとき、第２発光素子を選択し、前記露光データが低輝度のと
き、前記第１発光素子を選択するようにしたことを特徴とする露光用ヘッドの駆動方法。
【請求項９】
請求項８に記載の露光用ヘッドの駆動方法において、
前記第２発光素子である有機エレクトロルミネッセンス素子の発光層の膜厚は、前記第１発光素子である有機エレクトロルミネッセンス素子の発光層の膜厚よりも、厚いことを特徴とする露光用ヘッドの駆動方法。
【請求項１０】
請求項８又は９に記載の露光用ヘッドの駆動方法において、
前記第２発光素子である有機エレクトロルミネッセンス素子が出射する光の波長は、前記第１発光素子である有機エレクトロルミネッセンス素子が出射する光の波長よりも長くしたことを特徴とする露光用ヘッドの駆動方法。
【発明の詳細な説明】
【技術分野】
【０００１】
本発明は、露光用ヘッド及び露光用ヘッドの駆動方法に関する。
【背景技術】
【０００２】
電子写真方式を用いた画像形成装置には、像担持体としての感光ドラムを露光して潜像を形成する発光装置としての露光用ヘッドが利用されている。一般に、露光用ヘッドの発光源としてはレーザ光が使用されている。ところで、近年、露光用ヘッドにおいては、低コスト、省スペース、低消費電力化が求められている。そこで、露光用ヘッドの発光源として、有機エレクトロルミネッセンス素子（有機ＥＬ素子）を用いるものが注目されている。例えば、特許文献１では、光の取出し効率を向上するために、有機ＥＬ素子から発光された光を集光するレンズ、いわゆるマイクロレンズを光取出し面上に設ける提案がなされている。
【特許文献１】特開２００３−２９１４０４号広報
【発明の開示】
【発明が解決しようとする課題】
【０００３】
しかしながら、上記する露光ヘッドでは、マイクロレンズによって光の取出し効率は向上するものの、発光源として有機エレクトロルミネッセンス素子（有機ＥＬ素子）の寿命が、従来のレーザを発光源とするものより短いことが知られている。従って、交換周期が短くなり、メンテナンスのための負荷が問題になる。
【０００４】
本発明は、上記問題を解決するためになされたものであり、その目的は、露光用ヘッドの長寿命化を図ることができるとともに、低消費電力化を図ることができる露光用ヘッド及び露光用ヘッドの駆動方法を提供することにある。
【課題を解決するための手段】
【０００５】
本発明の露光用ヘッドは、露光用のライン状の光を出射する露光用ヘッドであって、前記ライン状の光の各部分を形成する露光用の光を出射する発光素子を複数個形成した発光部を複数設け、前記各発光部の発光素子を他の発光部の発光素子と異なる形成条件で形成した。
【０００６】
この露光用ヘッドによれば、各発光部毎に、それぞれ形成条件が相違する発光素子を形成した。従って、例えば、ある発光部では、高輝度発光に対して耐久性があり長寿命化を期待できる発光素子で形成し、他の発光部では、低輝度発光に対して消費電力が少ない発光素子で形成すれば、各発光部の発光素子の負荷は軽減されるとともに、消費電力を軽減することができる。
【０００７】
本発明の露光用ヘッドは、露光用のライン状の光を出射する露光用ヘッドであって、前記ライン状の光の各部分を形成する露光用の光を出射する第１発光素子を複数個設けた第１発光部と、前記ライン状の光の各部分を形成する露光用の光を出射する、前記第１発光素子と形成条件の異なる第２発光素子を複数個設けた第２発光部と
を備えた。
【０００８】
この露光用ヘッドによれば、例えば、第２発光部の第２発光素子を、第１発光部の第１発光素子に比べて、高輝度発光させても長寿命が損なわれない形成条件で形成する。そして、高輝度発光で露光用の光を出射する場合は、第２発光部の第２発光素子を発光させ、低輝度発光させて露光用の光を出射する場合は、第１発光部の第１発光素子を発光させる
ようにすることができる。これによって、第１及び第２発光部の発光素子の負荷は軽減される。第１発光素子と第２発光素子の形成条件を変更し、形成条件に即した駆動電源で発光制御をすることができるので、消費電力を軽減することができる。
【０００９】
この露光用ヘッドにおいて、前記第１発光部の第１発光素子は、低輝度の光を出射するに適した有機エレクトロルミネッセンス素子であり、前記第２発光部の第２発光素子は、高輝度の光を出射するに適した有機エレクトロルミネッセンス素子であってもよい。
【００１０】
この露光用ヘッドによれば、高輝度発光で露光用の光を出射する場合は、第２発光部の第２発光素子を発光させ、低輝度発光させて露光用の光を出射する場合は、第１発光部の第１発光素子を発光させるようにすることができる。これによって、第１及び第２発光部の発光ＥＬ素子の負荷はそれぞれ軽減されるとともに、第１発光素子と第２発光素子に適した駆動電源で発光制御をすることができることから消費電力を軽減することができる。
【００１１】
この露光用ヘッドにおいて、前記第２発光素子である有機エレクトロルミネッセンス素子の発光層の膜厚は、前記第１発光素子である有機エレクトロルミネッセンス素子の発光層の膜厚よりも厚くしてもよい。
【００１２】
この露光用ヘッドによれば、第２発光部の有機エレクトロルミネッセンス素子は、膜厚を厚くしたので、高輝度発光に対して耐久性があり長寿命化を図ることができる。また、第１発光部の有機エレクトロルミネッセンス素子は、膜厚を薄くしたので、低輝度発光に対して駆動電流を小さくでき消費電力を軽減することができる。
【００１３】
この露光用ヘッドにおいて、前記第２発光素子である有機エレクトロルミネッセンス素子が出射する光の波長は、前記第１発光素子である有機エレクトロルミネッセンス素子が出射する光の波長よりも長くしてもよい。
【００１４】
この露光用ヘッドによれば、第２発光部の有機エレクトロルミネッセンス素子が出射する光の波長を長くしたので、高輝度発光に対して耐久性があり長寿命化を図ることができる。また、第１発光部の有機エレクトロルミネッセンス素子が出射する光の波長を短くしたので、低輝度発光に対して駆動電流を小さくでき消費電力を軽減することができる。
【００１５】
この露光用ヘッドにおいて、前記各発光部は、１つのフレキシブル基板に形成してもよい。
この露光用ヘッドによれば、フレキシブル基板を湾曲させることが容易なので、各発光部の対応する発光素子同士を、それぞれ互いに被出射体の同じ点に照射する位置合わせが容易に行える。
【００１６】
本発明の露光用ヘッドの駆動方法は、露光用のライン状の光を出射するための前記ライン状の光の各部分を形成する露光用の光を出射する第１発光素子を複数個設けた第１発光部と、前記露光用のライン状の光を出射するための前記ライン状の光の各部分を形成する露光用の光を出射する、前記第１発光素子と形成条件の異なる第２発光素子を複数個設けた第２発光部とを備え、前記第１発光部と第２発光部の各発光素子の各々について、前記各部分の露光用の光を形成する第１及び第２発光素子同士をそれぞれ組とし、露光データに基づいて前記露光用のライン状の光を出射する際、前記各部分の露光データに応じてそれぞれ各組毎にその組の第１及び第２発光素子の中から、前記露光データに応じた発光素子を選択して発光させるようにした。
【００１７】
この露光用ヘッドの駆動方法によれば、例えば、露光データに基づいて高輝度発光で露光用の光を出射する場合は、第２発光部の第２発光素子を発光させ、露光データに基づい
て低輝度発光させて露光用の光を出射する場合は、第１発光部の第１発光素子を発光させるようにすることができる。これによって、第１及び第２発光部の発光素子の負荷は軽減される。第１発光素子と第２発光素子の発光輝度に即した駆動電源で発光制御をすることができるので、消費電力を軽減することができる。
【００１８】
この露光用ヘッドの駆動方法において、前記第１発光部の第１発光素子は、低輝度の光を出射するに適した有機エレクトロルミネッセンス素子であり、前記第２発光部の第２発光素子は、高輝度の光を出射するに適した有機エレクトロルミネッセンス素子であり、前記露光データが高輝度のとき、第２発光素子を選択し、前記露光データが低輝度のとき、前記第１発光素子を選択するようにしてもよい。
【００１９】
この露光用ヘッドの駆動方法によれば、高輝度発光で露光用の光を出射する場合は、第２発光部の第２発光素子を発光させ、低輝度発光させて露光用の光を出射する場合は、第１発光部の第１発光素子を発光させことから、第１及び第２発光部の発光ＥＬ素子の負荷はそれぞれ軽減されるとともに、第１発光素子と第２発光素子に適した駆動電源で発光制御をすることができることから消費電力を軽減することができる。
【００２０】
この露光用ヘッドの駆動方法において、前記第２発光素子である有機エレクトロルミネッセンス素子の発光層の膜厚は、前記第１発光素子である有機エレクトロルミネッセンス素子の発光層の膜厚よりも厚くしてもよい。
【００２１】
この露光用ヘッドの駆動方法によれば、第２発光部の有機エレクトロルミネッセンス素子は、膜厚を厚くしたので、高輝度発光に対して耐久性があり長寿命化を図ることができる。また、第１発光部の有機エレクトロルミネッセンス素子は、膜厚を薄くしたので、低輝度発光に対して駆動電流を小さくでき消費電力を軽減することができる。
【００２２】
この露光用ヘッドの駆動方法において、前記第２発光素子である有機エレクトロルミネッセンス素子が出射する光の波長は、前記第１発光素子である有機エレクトロルミネッセンス素子が出射する光の波長よりも長くしてもよい。
【００２３】
この露光用ヘッドの駆動方法によれば、第２発光部の有機エレクトロルミネッセンス素子が出射する光の波長を長くしたので、高輝度発光に対して耐久性があり長寿命化を図ることができる。また、第１発光部の有機エレクトロルミネッセンス素子が出射する光の波長を短くしたので、低輝度発光に対して駆動電流を小さくでき消費電力を軽減することができる。
【発明を実施するための最良の形態】
【００２４】
（第１実施形態）
以下、本発明を具体化した一実施形態を図１〜図４に従って説明する。図１は、画像形成装置としての電子写真方式プリンタを示す概略側断面図である。
【００２５】
図１に示すように、電子写真方式プリンタ１０（以下単に、プリンタ１０という。）は、箱体状に形成される筐体１１を備えている。その筐体１１内には、駆動ローラ１２、従動ローラ１３及びテンションローラ１４が設けられ、各ローラ１２〜１４に対して転写媒体としての中間転写ベルト１５が張設されている。そして、駆動ローラ１２の回転によって、中間転写ベルト１５は、図１における矢印方向に循環駆動可能に備えられている。
【００２６】
中間転写ベルト１５の上方には、４体の像担持体としての感光ドラム１６が、中間転写ベルト１５の張設方向（副走査方向Ｙ）に回転可能に併設されている。各感光ドラム１６の外周面には、光導電性を有する感光層１６ａ（図４参照）が形成されている。感光層１
６ａは、暗中でプラス又はマイナスの電荷を帯電し、所定の波長領域からなる光を照射されると、照射された部位の電荷が消失されるようになっている。すなわち、電子写真方式プリンタ１０は、これら４体の感光ドラム１６によって構成されるタンデム式のプリンタである。
【００２７】
各感光ドラム１６の周囲には、それぞれ帯電手段としての帯電ローラ１９、露光手段を構成する発光装置としての有機エレクロトルミネッセンスアレイ露光装置２０（以下単に、露光装置２０という。）、現像手段としてのトナーカートリッジ２１、転写手段を構成する一次転写ローラ２２及びクリーニング手段２３が配設されている。
【００２８】
帯電ローラ１９は、感光ドラム１６に密着する半導電性のゴムローラである。この帯電ローラ１９に直流電圧を印加して感光ドラム１６を回転すると、感光ドラム１６の感光層１６ａが、全周面にわたり所定の帯電電位に帯電するようになっている。
【００２９】
露光装置２０は、所定の波長領域の光を感光ドラム１６に出射する。そして、露光装置２０が印刷データに基づく光を鉛直方向Ｚ（図１参照）に出射（回転方向Ｒｏに回転する感光ドラム１６に出射）すると、感光層１６ａが所定の波長領域の光に露光される。すると、感光層１６ａは、露光された部位（露光スポット）の電荷を消失して、その外周面に静電的な画像（静電潜像）を形成する。なお、この露光装置２０の露光する光の波長領域は、感光層１６ａの分光感度と整合した波長領域である。つまり、露光装置２０の露光する光の発光エネルギーのピーク波長は、前記感光層１６ａの分光感度のピーク波長と略一致するようになっている。
【００３０】
トナーカートリッジ２１は、箱体形状に形成されて、その内部に着色粒子としてのトナーＴを収容する。なお、本実施形態における４体のトナーカートリッジ２１には、それぞれ対応する４色（黒、シアン、マゼンタ及びイエロ）のトナーＴが収容されている。そのトナーカートリッジ２１には、感光ドラム１６側から順に、現像ローラ２１ａと供給ローラ２１ｂが備えられている。供給ローラ２１ｂは、回転することによって、トナーＴを現像ローラ２１ａまで搬送するようになっている。現像ローラ２１ａは、供給ローラ２１ｂとの摩擦等によって、同供給ローラ２１ｂの搬送したトナーＴを帯電させるとともに、帯電したトナーＴを同現像ローラ２１ａの外周面に均一に付着するようになっている。
【００３１】
そして、感光ドラム１６に前記帯電電位と略等しいバイアス電位を印加した状態で、供給ローラ２１ｂ及び現像ローラ２１ａを回転する。すると、感光ドラム１６は、前記露光スポットと現像ローラ２１ａ（トナーＴ）との間に、前記バイアス電位に相対する静電吸着力を付与する。静電吸着力を受けたトナーＴは、同現像ローラ２１ｃの外周面から前記露光スポットに移動して吸着する。これによって、各感光ドラム１６（各感光層１６ａ）の外周面には、それぞれ静電潜像に対応した単色の可視像（顕像）が形成される（現像される）。
【００３２】
中間転写ベルト１５の内側面１５ａであって前記各感光ドラム１６と対峙する位置には、それぞれ一次転写ローラ２２が設けられている。一次転写ローラ２２は、導電性ローラであって、その外周面が中間転写ベルト１５の内側面１５ａに密着しながら回転する。この一次転写ローラ２２に直流電圧を印加して感光ドラム１６及び中間転写ベルト１５を回転すると、感光層１６ａに吸着したトナーＴが、一次転写ローラ２２側への静電吸着力よって中間転写ベルト１５の外側面１５ｂに順次移動して吸着するようになっている。
【００３３】
すなわち、一次転写ローラ２２は、感光ドラム１６に形成した顕像を中間転写ベルト１５の外側面１５ｂに一次転写する。そして、中間転写ベルト１５の外側面１５ｂは、各感光ドラム１６と一次転写ローラ２２によって、単色からなる顕像の一次転写を４回繰り返
し、これらの顕像を重ね合わせることによってフルカラーの画像（トナー像）を得る。
【００３４】
クリーニング手段２３は、図示しないＬＥＤ等の光源とゴムブレードを備え、前記一次転写後の感光層１６ａに光を照射して帯電した感光層１６ａを除電するようになっている。そして、クリーニング手段２３は、除電した感光層１６ａに残留するトナーＴをゴムブレードによって機械的に除去する。
【００３５】
中間転写ベルト１５の下側には、記録用紙Ｐを収容した記録用紙カセット２４が配設されている。その記録用紙カセット２４の上側には、記録用紙Ｐを中間転写ベルト１５側に給紙する給紙ローラ２５が配設されている。その給紙ローラ２５の上側にあって駆動ローラ１２と相対向する位置には、転写手段を構成する二次転写ローラ２６が配設されている。二次転写ローラ２６は、前記各一次転写ローラ２２と同じく導電性ローラであって、記録用紙Ｐの裏面を押圧し、同記録用紙Ｐの表面を中間転写ベルト１５の外側面１５ｂに接触させている。そして、この二次転写ローラ２６に直流電圧を印加して中間転写ベルト１５を回転すると、中間転写ベルト１５の外側面１５ｂに吸着したトナーＴが、記録用紙Ｐの表面上に順次移動して吸着する。すなわち、二次転写ローラ２６は、中間転写ベルト１５の外側面１５ｂに形成されたトナー像を記録用紙Ｐの表面上に二次転写する。
【００３６】
二次転写ローラ２６の上側には、熱源を内蔵するヒートローラ２７ａと同ヒートローラ２７ａを押圧する押圧ローラ２７ｂが配設されている。そして、二次転写後の記録用紙Ｐがヒートローラ２７ａと押圧ローラ２７ｂとの間に搬送されると、記録用紙Ｐ上に転写されたトナーＴが、加熱によって軟化し、記録用紙Ｐ内に浸透して硬化する。これによって、記録用紙Ｐの表面にトナー像が定着する。トナー像を定着させた記録用紙Ｐは、排紙ローラ２８によって筐体１１の外側に排出されるようになっている。
【００３７】
従って、プリンタ１０は、帯電した感光層１６ａを露光装置２０によって露光し、同感光層１６ａに静電潜像を形成する。次に、プリンタ１０は、感光層１６ａの静電潜像を現像して同感光層１６ａに単色の顕像を形成する。続いて、プリンタ１０は、感光層１６ａの顕像を中間転写ベルト１５上に順次一次転写して同中間転写ベルト１５上にフルカラーのトナー像を形成する。そして、プリンタ１０は、中間転写ベルト１５上のトナー像を記録用紙Ｐ上に二次転写し、加熱加圧によってトナー像を定着させて印刷を終了する。
【００３８】
次に、上記プリンタ１０に備えられ露光装置２０について詳細に説明する。図２は、露光装置２０を示す概略正断面図である。図３は、露光装置２０を感光ドラム１６側からみた正面図である。図４は、露光装置２０を示す概略側断面図である。
【００３９】
露光装置２０は、図２に示すように、露光ヘッドＨには、光透過性のフレキシブル基板３０を備えている。本実施形態では、フレキシブル基板３０は、アクリル樹脂よりなるプラスチック基板で形成されている。フレキシブル基板３０は、その幅方向の長さが感光ドラム１６の軸方向の幅より若干長く形成されている。
【００４０】
そして、本実施形態では、そのフレキシブル基板３０について、上面（感光ドラム１６側と反対の面）を発光素子形成面３０ａとし、下面（感光ドラム１６側の面）を光取出し面３０ｂとしている。
【００４１】
図３に示すように、フレキシブル基板３０の発光素子形成面３０ａ上には、その幅方向方向（Ｘ矢印方向）に複数の発光素子を配置形成した第１及び第２露光用発光部Ｈａ１，Ｈａ２が設けられ、第１及び第２露光用発光部Ｈａ１，Ｈａ２は所定の間隔で形成されている。
【００４２】
第１及び第２露光用発光部Ｈａ１，Ｈａ２は、複数の画素形成領域３１が形成されている。各画素形成領域３１は、図３に示すように、千鳥格子状に２次元に配列され、それぞれ薄膜トランジスタよりなる駆動トランジスタＱ１、スイッチングトランジスタＱ２（図８参照）と発光素子、第１発光素子又は第２発光素子としての有機エレクトロルミネッセンス素子（有機ＥＬ素子）３３等からなる画素３４を有している。駆動トランジスタＱ１は、印刷データに基づいて生成されたデータ信号によってオン状態となり、そのオン状態に基づいて、有機ＥＬ素子３３を発光するようになっている。
【００４３】
図５に示すように、有機ＥＬ素子３３は、発光素子形成面３０ａ上に形成された光透過性の回路形成層Ｓの上に形成される。この回路形成層Ｓには、有機ＥＬ素子３３を駆動させるための駆動トランジスタＱ１、スイッチングトランジスタＱ２（図５には図示されていない）が形成されている。また、回路形成層Ｓには、第１及び第２露光用発光部Ｈａ１，Ｈａ２の各有機ＥＬ素子３３を選択駆動させるための各種回路（図８参照）を構成する回路素子が前記画素形成領域３１の外に形成されている。
【００４４】
また、図５に示すように、回路形成層Ｓ上の画素形成領域３１に対応した位置には、各有機ＥＬ素子３３を千鳥格子状に２次元に配列区画するバンクＢが形成されている。そのバンクＢによって区画された凹部の底部には、ＩＴＯ等の光透過性を有する陽極Ｐｃが形成されている。陽極Ｐｃは、対応する駆動トランジスタＱ１とコンタクトホールＣＨを介して電気的に接続されている。なお、この陽極ＰｃとコンタクトホールＣＨはバンクＢを形成する前に形成される。
【００４５】
陽極Ｐｃの上には、高分子系の有機材料からなる有機エレクトロルミネッセンス層（有機ＥＬ層）ＯＥＬが形成されている。有機ＥＬ層ＯＥＬは、正孔輸送層ＯＥＬ１と発光層ＯＥＬ２の２層からなる有機化合物層であって、その上側には、アルミニウム等の光反射性を有する金属膜からなる陰極Ｐａが形成されている。陰極Ｐａは、発光素子形成面３０ａ側の略全面を覆うように形成され、第１及び第２露光用発光部Ｈａ１，Ｈａ２の各画素３４が共有することによって各有機ＥＬ素子３３に共通する電位を供給するようになっている。そして、有機ＥＬ素子３３は、これら陽極Ｐｃ、有機ＥＬ層ＯＥＬ及び陰極Ｐａによって構成される。
【００４６】
陰極Ｐａの上側には、接着層Ｌａによって陰極Ｐａ（フレキシブル基板３０）に接着される支持基板３８が配設されている。支持基板３８は、平面視方向から見てフレキシブル基板３０と同サイズに形成される無色透明のプラスチック製のフレキシブル基板であって、しかも機械的強度を得るために十分な厚さで形成されている。
【００４７】
そして、データ信号に応じた駆動電流が陽極Ｐｃに供給されると、有機ＥＬ層ＯＥＬ（発光層ＯＥＬ２）は、その駆動電流に応じた輝度で発光する。この際、有機ＥＬ層ＯＥＬから陰極Ｐａ側（図５における上側）に向かって発光された光は、同陰極Ｐａによって反射される。そのため、有機ＥＬ層ＯＥＬから発光された光は、その殆どが、陽極Ｐｃ、回路形成層Ｓ及びフレキシブル基板３０を透過して光取出し面３０ｂ側（感光ドラム１６側）に照射される。
【００４８】
尚、本実施形態では、第１露光用発光部Ｈａ１の有機ＥＬ素子３３と第２露光用発光部Ｈａ２の有機ＥＬ素子３３は、その形成条件を相違させている。詳述すると、第２露光用発光部Ｈａ２の有機ＥＬ素子３３を構成する発光層ＯＥＬ２の膜厚を、第１露光用発光部Ｈａ１の有機ＥＬ素子３３を構成する発光層ＯＥＬ２の膜厚より厚く形成した。
【００４９】
一般に、図６に示すように、膜厚が厚いほど、寿命が長いことが知られている。そして、高輝度発光する場合には、膜厚に対する寿命の変化割合は大きく、膜厚が厚ければ厚い
ほど、寿命が長いことが知られている。また、低輝度発光する場合にも、膜厚に対する寿命の変化割合は高輝度発光より小さく、膜厚が厚いほど、寿命が長いことが知られている。
【００５０】
また、図７に示すように、一定電圧を有機ＥＬ素子に加えた状態における、膜厚に対する発光輝度は、膜厚が薄ければ薄いほど、輝度を上げることができることがしられている。
【００５１】
つまり、第２露光用発光部Ｈａ２の有機ＥＬ素子３３を構成する発光層ＯＥＬ２の膜厚を厚くすることにより、薄いものに比べて駆動電圧を高くして高輝度で発光させても耐久性があり、長寿命につながることを意味している。また、第１露光用発光部Ｈａ１の有機ＥＬ素子３３に供給する電源電圧が、第２露光用発光部Ｈａ２の有機ＥＬ素子３３に供給する電源電圧より小さくても、所望の発光輝度で発光させることができるため、消費電力の低減につながることになる。
【００５２】
図２及び図４に示すように、フレキシブル基板３０の光取出し面３０ｂであって、第１及び第２露光用発光部Ｈａ１，Ｈａ２の各有機ＥＬ素子３３と対峙する位置には、それぞれマイクロレンズ４０が形成されている。マイクロレンズ４０は、前記有機ＥＬ層ＯＥＬから発光される光の波長に対して十分な透過率を有する半球面状の光学面を備えた凸形状のレンズであって、有機ＥＬ素子３３（有機ＥＬ層ＯＥＬ）の中心位置がその光軸Ａ上に位置するように形成されている。
【００５３】
また、マイクロレンズ４０は、その下側曲面（出射面４０ａ）の頂点と感光層１６ａとの間の距離を像側焦点距離にして、有機ＥＬ素子３３から光軸Ａに沿って発光された光線の光軸Ａとの交点（像側焦点Ｆ）を感光層１６ａ上に位置するようになっている。これによって、マイクロレンズ４０から出射された光は、感光層１６ａに所望するサイズの露光スポットを形成できるようになっている。
【００５４】
露光ヘッドＨ（フレキシブル基板３０）は、円弧状の感光ドラム１６側に湾曲形成されている。そして、第１露光用発光部Ｈａ１において、千鳥格子状に２次元に配列された１列目の各有機ＥＬ素子３３と、２列目の各有機ＥＬ素子３３とを、発光制御することによって、感光ドラム１６の面に対してＸ方向の同一線上に連続した露光スポットを形成することができる。つまり、１列目の各有機ＥＬ素子３３と２列目の各有機ＥＬ素子３３から出射された光は、感光ドラム１６の軸方向（図１において紙面に直交する方向：主走査方向Ｘ）であって同一線上に並んだ露光スポット（露光用のライン状に光）を感光層１６ａに露光する。
【００５５】
また、第２露光用発光部Ｈａ２も同様に、１列目の各有機ＥＬ素子３３と２列目の各有機ＥＬ素子３３から出射された光は、感光ドラム１６の軸方向（図１において紙面に直交する方向：主走査方向Ｘ）であって同一線上に並んだ露光スポットを感光層１６ａに露光する。
【００５６】
しかも、湾曲形成したことによって、第１露光用発光部Ｈａ１が出射形成するライン状の光を形成する各部分の有機ＥＬ素子３３による露光スポットと、第２露光用発光部Ｈａ２が出射形成するライン状の光を形成する各部分の有機ＥＬ素子３３による露光スポットとが、重なるようになっている。つまり、第１及び第２露光用発光部Ｈａ１，Ｈａ２の対応する有機ＥＬ素子３３同士は、それぞれ互いに感光ドラム１６の感光層１６ａの同じ点を露光するようになっている。
【００５７】
次に、上記のように構成した露光装置２０の電気的構成を図面に図８に従って説明する
。
図８において、露光ヘッドＨは、第１露光用発光部Ｈａ１、第２露光用発光部Ｈａ２、第１データ線駆動回路５１、第２データ線駆動回路５２、選択信号生成回路５３及び制御回路５４を備えている。
【００５８】
第１露光用発光部Ｈａ１及び第２露光用発光部Ｈａ２は、前記千鳥格子状に２次元に配列された画素形成領域３１毎にそれぞれ画素回路５６を有している。
第１露光用発光部Ｈａ１の各画素回路５６は、それぞれＭ本のデータ線Ｘａ１〜Ｘａｍ（ｍは整数）と、選択信号線Ｙ１との間に接続されている。また、第２露光用発光部Ｈａ２の各画素回路５６は、それぞれＭ本のデータ線Ｘｂ１〜Ｘｂｍ（ｍは整数）と、前記選択信号線Ｙ１との間に接続されている。
【００５９】
第１露光用発光部Ｈａ１の各画素回路５６は、駆動トランジスタＱ１、スイッチングトランジスタＱ２及び保持キャパシタＣ１をそれぞれ備えている。駆動トランジスタＱ１及びスイッチングトランジスタＱ２は、導電型がＮチャネルの薄膜トランジスタ（ＴＦＴ）にて構成されている。駆動トランジスタＱ１は、ドレインが有機ＥＬ素子３３の陽極に接続され、ソースが対応する電源線Ｌに接続されている。駆動トランジスタＱ１のゲートは保持キャパシタＣ１が接続されている。その保持キャパシタＣ１の他端は、電源線Ｌに接続されている。
【００６０】
スイッチングトランジスタＱ２はゲートが選択信号線Ｙ１に接続されている。また、スイッチングトランジスタＱ２は、ドレインが対応するデータ線Ｘａ１〜Ｘａｍにそれぞれ接続され、ソースが駆動トランジスタＱ１のゲート及び保持キャパシタＣ１の一端と接続されている。
【００６１】
因みに、第２露光用発光部Ｈａ２の各画素回路５６は、駆動トランジスタＱ１のソースが電源線Ｌに接続されるとともに、スイッチングトランジスタＱ２のドレインが対応するデータ線Ｘｂ１〜Ｘｂｍにそれぞれ接続される。
【００６２】
そして、選択信号線Ｙ１に選択信号Ｓ１が所定期間出力されると、各画素回路５６のスイッチングトランジスタＱ２が所定期間オンしてデータ線Ｘａ１〜Ｘａｍ，Ｘｂ１〜Ｘｂｍを介してデータ信号Ｄａ１〜Ｄａｍ，Ｄｂ１〜Ｄｂｍがそれぞれ供給される。すると、データ信号Ｄａ１〜Ｄａｍ，Ｄｂ１〜ＤｂｍがスイッチングトランジスタＱ２を介して保持キャパシタＣ１にそれぞれ供給される。各画素回路５６の保持キャパシタＣ１はデータ信号Ｄａ１〜Ｄａｍ，Ｄｂ１〜Ｄｂｍに対応した電荷量を蓄積し保持する。また、各画素回路５６の駆動トランジスタＱ１のゲート端子の電位はデータ信号Ｄａ１〜Ｄａｍ，Ｄｂ１〜Ｄｂｍにより押し上げられ、駆動トランジスタＱ１ドレイン／ソースにデータ信号Ｄａ１〜Ｄａｍ，Ｄｂ１〜Ｄｂｍに応じた駆動電流をそれぞれ有機ＥＬ素子３３に供給する。この駆動電流は、保持キャパシタＣ１に蓄積されたデータ信号Ｄａ１〜Ｄａｍ，Ｄｂ１〜Ｄｂｍに応じた電荷量に相対した値となる。
【００６３】
つまり、各画素回路５６の駆動トランジスタＱ１は、対応するデータ信号Ｄａ１〜Ｄａｍ，Ｄｂ１〜Ｄｂｍにそれぞれ応答して導通し、その導通状態が保持されて各有機ＥＬ素子３３に駆動電流を供給する。すると、このタイミングで各画素回路５６の有機ＥＬ素子３３がそれぞれデータ信号Ｄａ１〜Ｄａｍ，Ｄｂ１〜Ｄｂｍに相対した輝度で発光する。
【００６４】
第１データ線駆動回路５１は、制御回路５４からの第１露光用発光部Ｈａ１の各画素回路５６に対する第１の階調データに基づいて各画素回路５６のデータ信号Ｄａ１〜Ｄａｍを生成する。そして、第１データ線駆動回路５１は、制御回路５４からの同期信号に基づいて生成したデータ信号Ｄａ１〜Ｄａｍをそれぞれ対応する画素回路５６にデータ線Ｘａ
１〜Ｘａｍを介して供給する。
【００６５】
第２データ線駆動回路５２は、制御回路５４からの第２露光用発光部Ｈａ２の各画素回路５６に対する第２の階調データに基づいて各画素回路５６のデータ信号Ｄｂ１〜Ｄｂｍを生成する。そして、第２データ線駆動回路５２は、制御回路５４からの前記同期信号に基づいて生成したデータ信号Ｄｂ１〜Ｄｂｍをそれぞれ対応する画素回路５６にデータ線Ｘｂ１〜Ｘｂｍを介して供給する。
【００６６】
制御回路５４は、外部制御装置から供給される印刷データに基づいて作成された１ライン分の露光データを順次入力する。制御回路５４は、該露光データに基づいて第１データ線駆動回路５１に供給する第１の階調データと第２データ線駆動回路５２に供給する第２の階調データを生成する。
【００６７】
１ライン分の露光データは、前記感光ドラム１６の軸方向であって同一線上に並んだ各露光スポット（露光用のライン状に光）を露光するときの各露光スポットに対応して設けた有機ＥＬ素子３３を発光させる際の階調データである。有機ＥＬ素子３３は、本実施形態では、発光輝度を２５６段階（２５６階調）に発光制御できるようになっている。そして、以後説明の便宜上、１２７階調以下の発光輝度を低輝度発光といい、１２８階調以上の発光輝度を高輝度という。
【００６８】
制御回路５４は、低輝度発光の場合は第１露光用発光部Ｈａ１の有機ＥＬ素子３３を駆動させ、高輝度発光させる場合は第２露光用発光部Ｈａ２の有機ＥＬ素子３３を駆動させるように、第１階調データと第２階調データを生成する。
【００６９】
例えば、１番目の露光スポットの画素回路５６の階調データが「１００」階調（低輝度発光）で、２番目の露光スポットの画素回路５６の階調データが「２００」階調（高輝度発光）、３番目の露光スポットの画素回路５６の階調データが「２２０」階調（高輝度発光）で、４番目の露光スポットの画素回路５６の階調データが「９０」階調（低輝度発光）であったとする。
【００７０】
制御回路５４は、第１露光用発光部Ｈａ１のための第１の階調データを、第１番目と第４番目の露光スポットの画素回路５６に対してそれぞれ「１００」階調の階調データと「９０」階調の階調データを、第２番目と第３番目の露光スポットの画素回路５６に対して「０」階調の階調データを作成する。つまり、第１露光用発光部Ｈａ１の第２番目と第３番目の露光スポットの画素回路５６（有機ＥＬ素子３３）を発光させない第１の階調データを作成する。
【００７１】
一方、制御回路５４は、第２露光用発光部Ｈａ２のための第２の階調データを、第２番目と第３番目の露光スポットの画素回路５６に対してそれぞれ「２００」階調の階調データと「２２０」階調の階調データを、第１番目と第４番目の露光スポットの画素回路５６に対して「０」階調の階調データを作成する。つまり、第２露光用発光部Ｈａ２の第１番目と第４番目の露光スポットの画素回路５６（有機ＥＬ素子３３）を発光させない第２の階調データを作成する。
【００７２】
詳述すると、第１番目と第４番目の露光スポットは、第１露光用発光部Ｈａ１の画素回路５６（有機ＥＬ素子３３）の光で露光され、第２番目と第３番目の露光スポットは、第２露光用発光部Ｈａ２の画素回路５６（有機ＥＬ素子３３）の光で露光されるようになる。
【００７３】
つまり、低輝度発光の場合には第１露光用発光部Ｈａ１の有機ＥＬ素子３３を駆動させ
、高輝度発光に場合は第２露光用発光部Ｈａ２の有機ＥＬ素子３３を駆動させことによって、第１露光用発光部Ｈａ１の有機ＥＬ素子３３と第２露光用発光部Ｈａ２の有機ＥＬ素子３３とを役割分担させている。
【００７４】
しかも、本実施形態では、第２露光用発光部Ｈａ２の有機ＥＬ素子３３は、その発光層ＯＥＬ２の膜厚が、第１露光用発光部Ｈａ１に設けた有機ＥＬ素子３３の発光層ＯＥＬ２の膜厚より、厚く形成されているので、駆動電圧を高くして高輝度発光させても、充分に寿命に耐えるものとなる。言い換えれば、第１露光用発光部Ｈａ１に設けた有機ＥＬ素子３３は、高輝度発光が行われることがないので、長寿命化につながる。
【００７５】
従って、制御回路５４は、１ライン分の露光データに基づいて、各露光スポットのおける発光輝度が高輝度発光か低輝度発光を判別し、各露光スポット毎に階調データを振り分けして第１露光用発光部Ｈａ１の画素回路５６のための第１の階調データと第２露光用発光部Ｈａ２の画素回路５６のための第２の階調データを生成する。そして、制御回路５４は、第１の階調データと第２の階調データを作成すると、それぞれ第１データ線駆動回路５１と第２データ線駆動回路５２に供給する。
【００７６】
第１データ線駆動回路５１は、制御回路５４からの第１の階調データに基づいてデータ信号Ｄａ１〜Ｄａｍを生成する。また、第２データ線駆動回路５２は、制御回路５４からの第２の階調データに基づいてデータ信号Ｄｂ１〜Ｄｂｍを生成する。第１データ線駆動回路５１及び第２データ線駆動回路５２は、制御回路５４からの同期信号に応答してデータ信号Ｄａ１〜Ｄａｍ，Ｄｂ１〜Ｄｂｍを対応する画素回路５６にデータ線Ｘａ１〜Ｘａｍ，Ｘｂ１〜Ｘｂｍを介してそれぞれ供給する。
【００７７】
また、制御回路５４は、選択信号生成回路５３に同期信号を出力する。選択信号生成回路５３は、同期信号に基づいて選択信号Ｓ１を生成する。そして、選択信号生成回路５３は、前記第１データ線駆動回路５１及び第２データ線駆動回路５２がデータ信号Ｄａ１〜Ｄａｍ，Ｄｂ１〜Ｄｂｍを供給するタイミングで、選択信号Ｓ１を選択信号線Ｙ１に所定時間出力するようになっている。
【００７８】
次に、上記のように構成した露光装置２０の作用について説明する。
いま、１ライン分の露光データを入力すると、制御回路５４は各露光スポットのおける発光輝度が高輝度発光か低輝度発光を判別し、露光スポット毎に該露光スポットにおける露光データが低輝度発光ならば第１露光用発光部Ｈａ１の第１の階調データに、高輝度発光ならば第２露光用発光部Ｈａ２の第２の階調データに振り振り分ける。このとき、第１露光用発光部Ｈａ１及び第２露光用発光部Ｈａ２の画素回路５６において露光スポットにおける露光データが振り分けられなかった画素回路５６については、「０」階調のデータが割り当てられる。
【００７９】
そして、第１データ線駆動回路５１は、第１の階調データに基づいて第１露光用発光部Ｈａ１の各画素回路５６に対するデータ信号Ｄａ１〜Ｄａｍを生成しそれぞれ対応する画素回路５６にデータ線Ｘａ１〜Ｘａｍを介して供給する。同時に、第２データ線駆動回路５２は、第２の階調データに基づいて第２露光用発光部Ｈａ２の各画素回路５６に対するデータ信号Ｄｂ１〜Ｄｂｍを生成しそれぞれ対応する画素回路５６にデータ線Ｘｂ１〜Ｘｂｍを介して供給する。
【００８０】
そして、感光ドラム１６に出射される露光用のライン状に光を構成する各露光スポットは、低照度（低輝度発光）の場合には第１露光用発光部Ｈａ１の有機ＥＬ素子３３の光で、高照度（高輝度発光）の場合には第２露光用発光部Ｈａ２の有機ＥＬ素子３３の光で露光される。
【００８１】
次に、上記のように構成した本実施形態の効果を以下に記載する。
（１）本実施形態によれば、露光ヘッドＨに、感光ドラム１６に出射される露光用のライン状に光を構成する各露光スポットに光をそれぞれ出射する有機ＥＬ素子３３を有する第１露光用発光部Ｈａ１を設けた。また、露光ヘッドＨに、同じく感光ドラム１６に出射される露光用のライン状に光を構成する各露光スポットに光をそれぞれ出射する有機ＥＬ素子３３を有する第２露光用発光部Ｈａ２を設けた。そして、第１及び第２露光用発光部Ｈａ１，Ｈａ２の対応する有機ＥＬ素子３３同士を、それぞれ互いに感光ドラム１６の感光層１６ａの同じ露光スポットを露光するようにした。
【００８２】
そして、各露光スポットにおいて、低輝度発光で露光する場合には第１露光用発光部Ｈａ１の有機ＥＬ素子３３を発光させ、高輝度発光で露光する場合には第２露光用発光部Ｈａ２の有機ＥＬ素子３３を発光させるようにした。
【００８３】
従って、露光する輝度に応じて第１露光用発光部Ｈａ１の有機ＥＬ素子３３と第２露光用発光部Ｈａ２の有機ＥＬ素子３３を使い分けるようにしたので、第１及び第２露光用発光部Ｈａ１，Ｈａ２の有機ＥＬ素子３３の負荷は軽減される。その結果、消耗品である露光ヘッドＨの交換周期を長くすることができ、電子写真方式プリンタ１０において、メンテナンスのための負荷を軽減することができる。
【００８４】
（２）しかも、本実施形態によれば、第２露光用発光部Ｈａ２の有機ＥＬ素子３３を構成する発光層ＯＥＬ２の膜厚を、第１露光用発光部Ｈａ１の有機ＥＬ素子３３を構成する発光層ＯＥＬ２の膜厚より厚く形成した。つまり、高い駆動電圧で高輝度発光させる第２露光用発光部Ｈａ２の有機ＥＬ素子３３の発光層ＯＥＬ２の膜厚を、第１露光用発光部Ｈａ１に設けた有機ＥＬ素子３３の発光層ＯＥＬ２の膜厚より、厚く形成した。
【００８５】
従って、第２露光用発光部Ｈａ２の有機ＥＬ素子３３は駆動電圧を高くして高輝度発光させても、寿命を延ばすことができ、消耗品である露光ヘッドＨの交換周期をさらに長くすることができる。
【００８６】
（３）本実施形態によれば、第１露光用発光部Ｈａ１の有機ＥＬ素子３３は、低輝度発光でしかも、その膜厚は薄いので、第１露光用発光部Ｈａ１の各有機ＥＬ素子３３に印加する発光輝度に対する駆動電圧を小さくすることができるため、消費電力の低減を図ることができる。
【００８７】
（４）本実施形態によれば、露光ヘッドＨを、湾曲形成できるアクリル樹脂よりなるフレキシブル基板３０で形成した。従って、第１及び第２露光用発光部Ｈａ１，Ｈａ２の対応する有機ＥＬ素子３３同士を、それぞれ互いに感光ドラム１６の感光層１６ａの同じ点を露光する位置合わせることが容易になる。
（第２実施形態）
前記第１実施形態が、第１露光用発光部Ｈａ１に形成した各有機ＥＬ素子３３の発光層ＯＥＬ２の膜厚と第２露光用発光部Ｈａ２に形成した有機ＥＬ素子３３の発光層ＯＥＬ２の膜厚を相違させた。本実施形態は、第１露光用発光部Ｈａ１に形成した各有機ＥＬ素子３３（発光層ＯＥＬ２）が出射する発光波長と第２露光用発光部Ｈａ２に形成した有機ＥＬ素子３３（発光層ＯＥＬ２）が出射する発光波長とを相違させた点に特徴がある。
【００８８】
詳述すると、本実施形態では、第２露光用発光部Ｈａ２の有機ＥＬ素子３３（発光層ＯＥＬ２）から出射する発光波長を、第１露光用発光部Ｈａ１の有機ＥＬ素子３３（発光層ＯＥＬ２）から出射する発光波長より長くなるように形成した。つまり、第２露光用発光部Ｈａ２の有機ＥＬ素子３３（発光層ＯＥＬ２）を、出射する発光波長が長くなるように
形成した。
【００８９】
一般に、図９に示すように、出射する発光波長が長いほど、寿命が長いことが知られている。そして、高輝度発光する場合には、発光波長に対する寿命の変化割合は大きく、発光波長が長ければ長いほど、寿命が長いことが知られている。また、低輝度発光する場合にも、発光波長に対する寿命の変化割合は高輝度発光の場合より小さく、発光波長が長ければ長いほど、寿命が長いことが知られている。
【００９０】
また、図１０に示すように、一定電圧を有機ＥＬ素子に加えた状態における、発光波長に対する発光輝度は、発光波長が短ければ短いほど、輝度を上げることができることがしられている。
【００９１】
これは、出射する発光波長が長くなることにより、出射する発光波長が短いものに比べて駆動電圧を高くして高輝度で発光させても耐久性があり、長寿命につながることを意味している。また、第１露光用発光部Ｈａ１の有機ＥＬ素子３３に供給する電源電圧が、第２露光用発光部Ｈａ２の有機ＥＬ素子３３に供給する電源電圧より小さくても、所望の発光輝度で発光させることができ消費電力の低減につながることになる。
【００９２】
そして、上記のように構成された、第１及び第２露光用発光部Ｈａ１，Ｈａ２の各有機ＥＬ素子３３は、前記第１実施形態と同様に、第１データ線駆動回路５１、第２データ線駆動回路５２、選択信号生成回路３５及び制御回路５４にて、発光制御される。
【００９３】
つまり、感光ドラム１６に出射される露光用のライン状に光を構成する各露光スポットは、低照度の露光データ（低輝度発光）の場合には第１露光用発光部Ｈａ１の有機ＥＬ素子３３の光（発光波長の短い光）で、高照度の露光データ（高輝度発光）の場合には第２露光用発光部Ｈａ２の有機ＥＬ素子３３の光（発光波長の長い光）で露光される。
【００９４】
次に、上記のように構成した本実施形態の効果を以下に記載する。
（１）本実施形態によれば、第１実施形態と同様に、露光ヘッドＨに、第１露光用発光部Ｈａ１と第２露光用発光部Ｈａ２を設けた。そして、第１及び第２露光用発光部Ｈａ１，Ｈａ２の対応する有機ＥＬ素子３３同士を、それぞれ互いに感光ドラム１６の感光層１６ａの同じ露光スポットを露光するようにした。そして、各露光スポットにおいて、低輝度発光で露光する場合には第１露光用発光部Ｈａ１の有機ＥＬ素子３３を発光させ、高輝度発光で露光する場合には第２露光用発光部Ｈａ２の有機ＥＬ素子３３を発光させるようにした。
【００９５】
従って、露光する輝度に応じて第１露光用発光部Ｈａ１の有機ＥＬ素子３３と第２露光用発光部Ｈａ２の有機ＥＬ素子３３を使い分けるようにしたので、第１及び第２露光用発光部Ｈａ１，Ｈａ２の有機ＥＬ素子３３の負荷は軽減される。その結果、消耗品である露光ヘッドＨの交換周期を長くすることができ、電子写真方式プリンタ１０において、メンテナンスのための負荷を軽減することができる。
【００９６】
（２）本実施形態によれば、第２露光用発光部Ｈａ２の有機ＥＬ素子３３（発光層ＯＥＬ２）から出射する光の発光波長を、第１露光用発光部Ｈａ１の有機ＥＬ素子３３（発光層ＯＥＬ２）から出射する光の発光波長より長くなるように、第１及び第２露光用発光部Ｈａ１，Ｈａ２の有機ＥＬ素子３３を形成した。
【００９７】
従って、第２露光用発光部Ｈａ２の有機ＥＬ素子３３は駆動電圧を高くして高輝度発光させても寿命を延ばすことができ、消耗品である露光ヘッドＨの交換時期をさらに長くすることができる。
【００９８】
（３）本実施形態によれば、第１露光用発光部Ｈａ１の有機ＥＬ素子３３は、低輝度発光でしかも、その発光波長は短いので、第１露光用発光部Ｈａ１の各有機ＥＬ素子３３に印かする発光輝度に対する駆動電圧を小さくすることができるため、消費電力の低減を図ることができる。
【００９９】
尚、上記実施形態は以下のように変更してもよい。
・上記実施形態では、第１及び第２露光用発光部Ｈａ１，Ｈａ２は、千鳥格子状に２次元に、すなわち、２列に有機ＥＬ素子３３を配列して形成したが、１列又は３列以上からなる有機ＥＬ素子３３を配列して第１及び第２露光用発光部Ｈａ１，Ｈａ２を形成して実施してもよい。
【０１００】
・上記実施形態では、露光ヘッドＨは、第１及び第２露光用発光部Ｈａ１，Ｈａ２の二つの発光部で構成したが、３つ以上の発光部を構成して実施してもよい。この場合、発光輝度を、発光部の数に合わせて区分し、露光データに基づいて、それぞれの発光部の発光素子（有機ＥＬ素子）を選択し発光制御することになる。
【０１０１】
・第１実施形態では、形成条件として有機ＥＬ素子３３の膜厚を、第２実施形態では、形成条件として有機ＥＬ素子３３の発光波長とした。これを、例えば、有機ＥＬ素子３３の膜厚と発光波長を合わせた形成条件等、その他、形成条件で実施してもよい。
【０１０２】
・上記実施形態では、画像形成装置としての電子写真方式プリンタをタンデム型カラープリンタ１０に具体化したが、露光装置２０が１つからなるモノクロプリンタに応用してもよい。
【０１０３】
・上記実施形態では、発光素子を有機ＥＬ素子３３で具体化したが、無機ＥＬ素子やＬＥＤ等その他発光素子で具体化してもよい。
・上記実施形態では、アクリル樹脂からなるフレキシブル基板３０として具体化したが、これに限らず、要は、湾曲形成できればよく基板であればよく、例えばポリイミド等のプラスチック基板であってもよい。
【０１０４】
・上記実施形態では、有機ＥＬ素子３３の発光を制御する画素回路５６について、２個のトランジスタ（駆動トランジスタＱ１、スイッチングトランジスタＱ２）を備える構成にした。これに限らず、有機ＥＬ素子３３の発光を制御するトランジスタを３個以上備える構成にしてもよく、あるいは、反対にフレキシブル基板３０に備えない構成にしてもよい。
【０１０５】
・上記実施形態では、フレキシブル基板３０に、第１露光用発光部Ｈａ１、第２露光用発光部Ｈａ２、第１データ線駆動回路５１、第２データ線駆動回路５２、選択信号生成回路５３及び制御回路５４を備えた構成にしたが、第１露光用発光部Ｈａ１及び第２露光用発光部Ｈａ２を除いた他の回路又は一部を、フレキシブル基板３０以外の基板に形成して実施してもよい。
【図面の簡単な説明】
【０１０６】
【図１】第１実施形態の画像形成装置を示す概略側断面図。
【図２】同じく、露光装置を示す概略正断面図。
【図３】同じく、露光装置を感光ドラム側からみた図。
【図４】同じく、露光ヘッドと感光ドラムとの関係を示す説明図。
【図５】同じく、有機ＥＬ素子を説明するための拡大断面図。
【図６】同じく、高輝度発光と低輝度発光における有機ＥＬ素子の発光層の膜厚に対する寿命との関係を示す図。
【図７】同じく、有機ＥＬ素子の発光層の膜厚に対する一定電圧における輝度の関係を示す図。
【図８】同じく、露光装置の電気的構成を説明するための電気回路図。
【図９】第２実施形態を説明するための、高輝度発光と低輝度発光における有機ＥＬ素子の発光波長に対する寿命との関係を示す図。
【図１０】同じく、有機ＥＬ素子の発光波長に対する一定電圧における輝度の関係を示す図。
【符号の説明】
【０１０７】
１０…電子写真方式プリンタ、１５…中間転写ベルト、１６…感光ドラム、１９…帯電ローラ、２０…露光装置、２１…トナーカートリッジ、２２…一次転写ローラ、２６…二次転写ローラ、３０…フレキシブル基板、３０ａ…発光素子形成面、３０ｂ…光取出し面、３３…発光素子、第１発光素子又は第２発光素子としての有機エレクトロルミネッセンス素子、４０…マイクロレンズ、５１…第１データ線駆動回路、５２…第２データ線駆動回路、５３…選択信号生成回路、５４…制御回路、ＯＥＬ…有機エレクロトルミネッセンス層、ＯＥＬ２…発光層、Ｐａ…陰極、Ｐｃ…陽極、Ｈ…露光用ヘッド、Ｈａ１…発光部又は第１発光部としての第１露光用発光部、Ｈａ２…発光部又は第２発光部としての第２露光用発光部。
【図１】
2006263934.tif 000003
【図２】
2006263934.tif 000004
【図３】
2006263934.tif 000005
【図４】
2006263934.tif 000006
【図５】
2006263934.tif 000007
【図６】
2006263934.tif 000008
【図７】
2006263934.tif 000009
【図８】
2006263934.tif 000010
【図９】
2006263934.tif 000011
【図１０】
2006263934.tif 000012